(57)【要約】      （修正有）【課題】  使用中の携帯用送信機を更新する際に、手間を掛けずに、携帯用送信機の固有のＩＤを更新登録するリモートキーレスエントリー装置を提供する。【解決手段】  車載用受信機１１が複数の携帯用送信機の固有のＩＤを車載側内部メモリ１８のメモリ領域に登録し、複数の携帯用送信機が固有のＩＤを携帯側内部メモリのメモリ領域に登録し、車載用受信機１１が登録モードに変更設定された期間内に、携帯用送信機が予め定めた操作部材を予め定めた操作態様で操作を行うと、車載用受信機１１に送信され、車載側内部メモリ１８の各メモリ領域１４乃至１７に順次書き込まれる。【選択図】  図２
2005344422.tif 000002
【特許請求の範囲】
【請求項１】
複数台の携帯用送信機と１台の車載用受信機とからなり、前記それぞれの携帯用送信機から当該携帯用送信機に固有のＩＤを含んだ指令信号を車載用受信機に無線信号として送信し、前記車載用受信機がその無線信号を受信して前記指令信号に含まれるＩＤと前記車載用受信機の車載側内部メモリに格納されているＩＤとの一致を確認したとき、当該指令信号に対応した車載側被制御機器を制御駆動するリモートキーレスエントリー装置であって、前記複数台の携帯用送信機は、固有のＩＤを携帯側内部メモリのメモリ領域に記憶しており、前記車載用受信機は、前記複数台の携帯用送信機の固有のＩＤを前記車載側内部メモリの各メモリ領域に格納し、前記車載用受信機の動作モードが前記車載側内部メモリに前記携帯用送信機に固有のＩＤの書き込み登録を行う登録モードに変更設定されている期間内に、いずれかの携帯用送信機が予め定めた操作部材を予め定めた操作態様で操作を行ったとき、その携帯用送信機の携帯側内部メモリに記憶されているＩＤが読み出されて前記車載用受信機に指定回数分繰り返し送信され、前記車載側内部メモリの各メモリ領域に順次書き込まれることを特徴とするリモートキーレスエントリー装置。
【請求項２】
複数台の携帯用送信機と１台の車載用受信機とからなり、前記それぞれの携帯用送信機から当該携帯用送信機に固有のＩＤを含んだ指令信号を車載用受信機に無線信号として送信し、前記車載用受信機がその無線信号を受信して前記指令信号に含まれるＩＤと前記車載用受信機の車載側内部メモリの第１メモリ領域に格納されているＩＤとの一致を確認したとき、当該指令信号に対応した車載側被制御機器を制御駆動するリモートキーレスエントリー装置であって、前記複数台の携帯用送信機は、固有のＩＤを携帯側内部メモリのメモリ領域に記憶しており、前記車載用受信機は、前記複数台の携帯用送信機の固有のＩＤを前記車載側内部メモリの第１メモリ領域に格納し、前記車載用受信機の動作モードが前記車載側内部メモリに前記携帯用送信機に固有のＩＤの書き込み登録を行う登録モードに変更設定されている期間内に、車両に設けられる予め定めた操作部材を予め定めた操作態様で操作を行ったとき、その携帯用送信機に固有のＩＤが前記車載側内部メモリの第２メモリ領域から読み出され、前記車載側内部メモリの第１メモリ領域に順次書き込まれることを特徴とするリモートキーレスエントリー装置。
【請求項３】
前記携帯用送信機は、前記予め定めた操作部材を予め定めた操作態様で操作を行うときに前記固有のＩＤの書き込み回数を指定する操作を付加し、前記車載用受信機は、前記車載側内部メモリのメモリ領域に当該固有のＩＤを書き込む際に、前記固有のＩＤの書き込み指定回数分だけ繰り返し順次書き込みを行うことを特徴とする請求項１に記載のリモートキーレスエントリー装置。
【請求項４】
前記車載用受信機は、第２メモリ領域のＩＤを第１メモリ領域に書き込む指示部が設けられ、前記車載側内部メモリのメモリ領域に当該固有のＩＤを書き込む際に、前記指示部に指定された回数分だけその固有のＩＤを繰り返し書き込むことを特徴とする請求項２に記載のリモートキーレスエントリー装置。
【請求項５】
複数台の携帯用送信機と１台の車載用受信機とからなり、前記それぞれの携帯用送信機から当該携帯用送信機に固有のＩＤを含んだ指令信号を車載用受信機に無線信号として送信し、前記車載用受信機がその無線信号を受信して前記指令信号に含まれるＩＤと前記車載用受信機の車載側内部メモリに格納されているＩＤとの一致を確認したとき、当該指令信号に対応した車載側被制御機器を制御駆動するリモートキーレスエントリー装置であって、前記複数台の携帯用送信機は、固有のＩＤを携帯側内部メモリのメモリ領域に記憶しており、前記車載用受信機は、前記複数台の携帯用送信機の固有のＩＤを前記車載側内部メモリの各メモリ領域に格納し、前記車載用受信機の動作モードが前記車載側内部メモリに前記携帯用送信機に固有のＩＤの書き込み登録を行う登録モードに変更設定されている期間内に、前記いずれかの携帯用送信機に設けられ予め定められた操作部材、あるいは車両に設けられ予め定められた操作部材を予め定められた操作態様で操作を行った場合に、その携帯用送信機に固有のＩＤとは異なるランダムなＩＤが指定回数分、前記車載側内部メモリの各メモリに順次書き込まれるとともに、前記操作部材とは異なる操作部材、あるいは前記操作態様と異なる操作態様で操作を行った場合にその携帯用送信機に固有のＩＤが前記車載側内部メモリに書き込まれることを特徴とするリモートキーレスエントリー装置。
【発明の詳細な説明】
【技術分野】
【０００１】
本発明は、２台以上の携帯用送信機と１台の車載用受信機とからなるリモートキーレスエントリー装置に係り、特に、使用中の携帯用送信機を紛失または破損して使用不能になったとき、新たな携帯用送信機を含む複数台の携帯用送信機に割り当てられている固有のＩＤ（識別符号）を車載用受信機の車載側メモリに書き込み登録する際にその登録操作をできるだけ簡素化するようにしたリモートキーレスエントリー装置に関する。
【背景技術】
【０００２】
一般に、リモートキーレスエントリー装置は、１台の自動車を共同使用する複数人のユーザーの各々が携帯保持し、それぞれに固有のＩＤが割り当てられた２台以上の携帯用送信機と、自動車内に搭載され、それぞれの携帯用送信機に割り当てられた固有のＩＤを内部メモリに登録している１台の車載用受信機とからなっている。そして、このリモートキーレスエントリー装置は、いずれかの携帯用送信機からその携帯用送信機に固有のＩＤを含んだ指示信号を無線信号として車載用受信機に送信したとき、車載用受信機がその無線信号を受信すると、指示信号に含まれているＩＤと内部メモリに登録されているＩＤとが一致するかを検出し、ＩＤの一致を検出すると、指示信号により指示されている自動車の被制御部分を制御動作させる、例えばドアロック解除等が行われるものである。
【０００３】
この種のリモートキーレスエントリー装置においては、現実にリモートキーレスエントリー装置を使用するのに先立って、２台以上の携帯用送信機にそれぞれ割り当てられている固有のＩＤを、車載用受信機の内部メモリに書き込んで登録しておく必要がある。この場合、車載用受信機の内部メモリに固有のＩＤの書き込み登録を行う際には、車載用受信機の指定された操作部材を予め決められた態様に従って操作すると、車載用受信機の動作モードが通常モードから登録モード（書き込みモード）に変更設定されるので、車載用受信機が登録モードに設定されている期間内であれば、固有のＩＤを車載用受信機の内部メモリに書き込み登録することができるものである。
【０００４】
この種のリモートキーレスエントリー装置において、それぞれの携帯用送信機に割り当てられている固有のＩＤを車載用受信機の内部メモリに書き込み登録する手段としては、各種の手段を利用したものが知られている。
【０００５】
その中の１つは、特開２００１−１１５６９６号に開示されているリモートキーレスエントリー装置であって、この装置は、ＩＤ登録モード設定手段により携帯用送信機が登録モードに設定されているとき、ユーザーが指定された操作部材を予め決められた態様で操作すると、その操作に対応したＩＤが形成され、このとき形成されたＩＤが当該携帯用送信機の固有のＩＤとしてメモリ登録され、車載用受信機を所定の動作で登録モードに設定して前記携帯用送信機の固有のＩＤを含む信号を車載用受信機側に送信することにより、車載用受信機の内部メモリにその固有のＩＤが登録されるものである。また、１台の車を複数の人が使用する場合等、複数の携帯用送信機についてもＩＤを登録する場合には、車載用受信機が登録モードとなっている間に、当該複数の携帯用送信機についても、前述の操作と同様の操作を行う。
【０００６】
なお、車載用受信機の内部メモリに複数の携帯用送信機の固有のＩＤを登録する具体的構成が開示されているものとして、特許第３３１３２４９号に開示されているリモートキーレスエントリー装置が公知である。この装置は、２台以上の携帯用送信機の固有のＩＤを車載用受信機の内部メモリの複数メモリ領域に更新登録する際に、更新以前に登録されている固有のＩＤを内部メモリから消去させるために、一旦、１つの更新登録する携帯用送信機の固有のＩＤを全てのメモリ領域に登録し、その後、残りの更新登録する携帯用送信機の固有のＩＤを順次メモリ領域に登録するようにしているものである。
【０００７】
この場合、一旦、携帯用送信機の全てのメモリに１つの携帯用送信機のＩＤを書き込む理由としては、防犯機能を高めるためである。具体的には、車両本体側メモリに紛失した携帯用送信機に対するＩＤが残っていると、当該紛失した携帯用送信機を用いて操作される可能性がありこれを防止するためである。また、全てのコードが０、あるいはＦである所定のＩＤに車両本体側の全てのメモリを書き換え、その後携帯用送信機のＩＤを書き換える方法であると、当該所定のコードのＩＤがメモリに残っている可能性があり、これを携帯用送信機から送信して操作される可能性は中間の数値に比べて高く、これを防ぐためである。
【０００８】
なお、携帯用送信機を紛失した場合、このＩＤが記憶されている車両本体側のメモリのデータのみを、新規に使用する携帯用送信機のＩＤに変更できれば問題はないが、車両本体側のどのメモリにどの携帯用送信機のＩＤが登録されていたかを管理することは煩雑であり、また操作も複雑になることから一般的にはこのようにしていない。
【０００９】
また、前記従来例においては、携帯用送信機のＩＤを車両本体側のメモリに書き込む方法として、携帯用送信機から信号を送信し、当該送信信号に含まれている携帯用送信機のＩＤを自動的に書き込むものであるが、車両本体側の各種スイッチを操作して入力するタイプのものもある。この場合には、携帯用送信機にメーカーの製造工程において所定のＩＤを設定し、ユーザーあるいはディラー等の登録者は、メーカーから当該設定されたＩＤの連絡を受ける。そして、登録者がこの携帯用送信機のＩＤを車両本体に登録する場合には、車両本体をＩＤ登録モードとし、例えば０が割り当てられたパワーウインド制御用のアップスイッチ、あるいは１が割り当てられたダウンスイッチを操作して、０と１からなる所定ビットのＩＤを登録するタイプのものもある。そして、これらの従来例においても、防犯機能を高める目的で、当該操作を車両本体のメモリの数だけ行っていた。
【特許文献１】特開２００１−１１５６９６号公報
【特許文献２】特許第３３１３２４９号公報
【発明の開示】
【発明が解決しようとする課題】
【００１０】
前述のように防犯の問題から、車両側のメモリに複数回同じ携帯用送信機のＩＤを書き込む必要があるが、特許第３３１３２４９号においては、登録モードとした後に１回目か否かを判定し１回目のときには全てのメモリを自動的に書き換えているため、プログラムが複雑になってしまうという問題があった。
【００１１】
また、車両本体側の車両に設けられているパワーウインド等の各種スイッチを操作して車両側のメモリに複数回同じ携帯用送信機のＩＤを書き込むタイプにおいては、携帯用送信機のＩＤのビット数と同じ回数のスイッチの操作を繰り返して行う必要があることから、登録作業が面倒であった。
【００１２】
本発明は、このような技術的背景に鑑みてなされたもので、その目的は、使用中の複数台の携帯用送信機のいずれかを新たな携帯用送信機に更新する際に、プログラムを複雑にしない、あるいは多くの手間を掛けることなく、携帯用送信機の固有のＩＤを更新登録することを可能にしたリモートキーレスエントリー装置を提供することにある。
【課題を解決するための手段】
【００１３】
前記目的を達成するために、本発明によるリモートキーレスエントリー装置は、複数台の携帯用送信機と１台の車載用受信機とからなり、それぞれの携帯用送信機から当該携帯用送信機に固有のＩＤを含んだ指令信号を車載用受信機に無線信号として送信し、車載用受信機がその無線信号を受信して指令信号に含まれるＩＤと車載用受信機の車載側内部メモリに格納されているＩＤとの一致を確認したとき、当該指令信号に対応した車載側被制御機器を制御駆動するリモートキーレスエントリー装置であって、複数台の携帯用送信機は、固有のＩＤを携帯側内部メモリのメモリ領域に記憶しており、車載用受信機は、複数台の携帯用送信機の固有のＩＤを車載側内部メモリの各メモリ領域に格納し、車載用受信機の動作モードが車載側内部メモリに携帯用送信機に固有のＩＤの書き込み登録を行う登録モードに変更設定されている期間内に、いずれかの携帯用送信機が予め定めた操作部材を予め定めた操作態様で操作を行ったとき、その携帯用送信機の携帯側内部メモリに記憶されているＩＤが読み出されて車載用受信機に指定回数分繰り返し送信され、車載側内部メモリの各メモリ領域に順次書き込まれる第１の手段を具備する。
【００１４】
また、前記目的を達成するために、本発明によるリモートキーレスエントリー装置は、複数台の携帯用送信機と１台の車載用受信機とからなり、それぞれの携帯用送信機から当該携帯用送信機に固有のＩＤを含んだ指令信号を車載用受信機に無線信号として送信し、車載用受信機がその無線信号を受信して指令信号に含まれるＩＤと車載用受信機の車載側内部メモリの第１メモリ領域に格納されているＩＤとの一致を確認したとき、当該指令信号に対応した車載側被制御機器を制御駆動するリモートキーレスエントリー装置であって、複数台の携帯用送信機は、固有のＩＤを携帯側内部メモリのメモリ領域に記憶しており、車載用受信機は、複数台の携帯用送信機の固有のＩＤを車載側内部メモリの第１メモリ領域に格納し、車載用受信機の動作モードが車載側内部メモリに携帯用送信機に固有のＩＤの書き込み登録を行う登録モードに変更設定されている期間内に、車両に設けられる予め定めた操作部材を予め定めた操作態様で操作を行ったとき、その携帯用送信機に固有のＩＤが車載側内部メモリの第２メモリ領域から読み出され、車載側内部メモリの第１メモリ領域に順次書き込まれる第２の手段を具備する。
【００１５】
前記第１の手段において、携帯用送信機は、予め定めた操作部材を予め定めた操作態様で操作を行うときに固有のＩＤの書き込み回数を指定する操作を付加し、車載用受信機は、車載側内部メモリのメモリ領域に当該固有のＩＤを書き込む際に、固有のＩＤの書き込み指定回数分だけ繰り返し順次書き込みを行う第３の手段を具備する。
【００１６】
また、第２の手段において、車載用受信機は、固有のＩＤの書き込み回数を指定する書き込み回数指定部を備え、車載側内部メモリのメモリ領域に当該固有のＩＤを書き込む際に、回数指定部に指定された回数分だけその固有のＩＤを繰り返し書き込む第４の手段を具備する。
【００１７】
さらに、前記目的を達成するために、本発明によるリモートキーレスエントリー装置は、複数台の携帯用送信機と１台の車載用受信機とからなり、それぞれの携帯用送信機から当該携帯用送信機に固有のＩＤを含んだ指令信号を車載用受信機に無線信号として送信し、車載用受信機がその無線信号を受信して指令信号に含まれるＩＤと車載用受信機の車載側内部メモリに格納されているＩＤとの一致を確認したとき、当該指令信号に対応した車載側被制御機器を制御駆動するリモートキーレスエントリー装置であって、複数台の携帯用送信機は、固有のＩＤを携帯側内部メモリのメモリ領域に記憶しており、車載用受信機は、複数台の携帯用送信機の固有のＩＤを車載側内部メモリの各メモリ領域に格納し、車載用受信機の動作モードが車載側内部メモリに携帯用送信機に固有のＩＤの書き込み登録を行う登録モードに変更設定されている期間内に、いずれかの携帯用送信機に設けられ予め定められた操作部材、あるいは車両に設けられ予め定められた操作部材を予め定められた操作態様で操作を行った場合に、その携帯用送信機に固有のＩＤとは異なるランダムなＩＤが指定回数分、車載側内部メモリの各メモリに順次書き込まれるとともに、操作部材とは異なる操作部材、あるいは前記操作態様と異なる操作態様で操作を行った場合にその携帯用送信機に固有のＩＤが車載側内部メモリに書き込まれる第５の手段を具備する。
【発明の効果】
【００１８】
以上のように、請求項１に記載のリモートキーレスエントリー装置によれば、車載用受信機の車載側内部メモリに既登録されている携帯用送信機の固有のＩＤを登録する際に、いずれかの携帯用送信機が予め定めた操作部材を予め定めた操作態様で操作を行ったとき、その携帯用送信機の携帯側メモリに記憶されているＩＤが読み出されて車載用受信機に指定回数分繰り返し送信され、車載側内部メモリの各メモリ領域に順次書き込まれるので、携帯用送信機を少い回数操作するだけで、複数のメモリ領域に携帯用送信機の固有のＩＤを書き込み登録することができ、多くの手間を掛けることなく、携帯用送信機の固有のＩＤを登録することが可能になるという効果がある。
【００１９】
また、請求項２に記載のリモートキーレスエントリー装置によれば、車載用受信機の車載側内部メモリの第２メモリ領域に既登録されている携帯用送信機に固有のＩＤを、車両に設けられる予め定めた操作部材を予め定めた操作態様で操作を行ったとき、当該第２メモリ領域から指定回数分繰り返し読み出され、車載側内部メモリの第１メモリ領域に順次書き込まれるので、車両に設けられた操作部材を少い回数操作するだけで、複数のメモリ領域に携帯用送信機に固有のＩＤを書き込み登録することができ、多くの手間を掛けることなく、携帯用送信機の固有のＩＤを登録することが可能になるという効果がある。
【００２０】
さらに、請求項３に記載のリモートキーレスエントリー装置によれば、携帯用送信機が予め定めた操作部材を予め定めた操作態様で操作を行うときに固有のＩＤの書き込み回数を指定する操作が付加され、車載用受信機が車載側内部メモリのメモリ領域に当該固有のＩＤを書き込む際に、固有のＩＤの書き込み指定回数分だけ繰り返し順次書き込みが行われるので、携帯用送信機を少い回数操作するだけで、指定した書き込み回数分だけ車載側内部メモリの複数のメモリ領域に、携帯用送信機に固有のＩＤを書き込み登録を行うことができ、多くの手間を掛けることなく、携帯用送信機の固有のＩＤを登録することが可能になるという効果がある。
【００２１】
また、請求項４に記載のリモートキーレスエントリー装置によれば、車載用受信機が固有のＩＤの書き込み回数を指定する書き込み回数指定部を備えており、車載側内部メモリのメモリ領域に当該固有のＩＤを書き込む際に、回数指定部で指定し回数分だけその固有のＩＤを繰り返し書き込みすることができるので、車両に設けられる操作部材を少い回数操作するだけで、指定した書き込み回数分だけ車載側内部メモリの複数のメモリ領域に、携帯用送信機に固有のＩＤを書き込み登録を行うことができ、多くの手間を掛けることなく、携帯用送信機の固有のＩＤを登録することが可能になるという効果がある。
【００２２】
さらに、請求項５に記載のリモートキーレスエントリー装置によれば、車載用受信機の動作モードが登録モードに設定されている期間内に、予め定められた操作部材を予め定められた操作態様で操作した場合に、複数台の携帯用送信機の固有のＩＤとは異なるランダムなＩＤが指定回数分書き込まれ、また、携帯用送信機に固有のＩＤも車両側内部メモリに書き込まれる。よって、紛失等した携帯用送信機のＩＤに代えて異なるランダムなＩＤを設定できるので防犯性に優れる。また、当該ランダムなＩＤを車載用受信機の複数のメモリに書き込む場合、少い回数操作部材を操作するだけで車両側内部メモリの複数のメモリ領域に書き込むことができるので、多くの手間を掛けることなく登録することが可能になるという効果がある。
【発明を実施するための最良の形態】
【００２３】
以下、本発明の実施の形態を図面を参照して説明する。
【００２４】
図１及び図２は、本発明によるリモートキーレスエントリー装置の１つの実施の形態を示すもので、図１は携帯用送信機の要部構成を示すブロック図であり、図２は車載用受信機の要部構成を示すブロック図である。
【００２５】
図１に示されるように、この実施の形態による携帯用送信機１は、制御部２と、ＥＥＰＲＯＭからなり、携帯用送信機１に固有のＩＤを格納している携帯側内部メモリ３と、表示灯等からなる表示部４と、信号送信部５と、無線信号送信アンテナ６と、ドアロックスイッチ７とドアアンロックスイッチ８と設定スイッチ９とからなるスイッチ操作部１０とを備えている。
【００２６】
そして、制御部２は、携帯側内部メモリ３、表示部４、信号送信部５の入力端、ドアロックスイッチ７、ドアアンロックスイッチ８、設定スイッチ９にそれぞれ接続され、信号送信部５の出力端が無線信号送信アンテナ６に接続されている。
【００２７】
また、図２に示されるように、この実施の形態による車載用受信機１１は、制御信号発生部１２を内蔵する制御部１３と、それぞれＩＤが格納される複数メモリ領域要素１４、１５、１６、１７を有するＥＥＰＲＯＭからなる車載側内部メモリ１８と、信号受信部１９と、無線信号受信アンテナ２０とを備えている。
【００２８】
そして、制御部１３は、複数メモリ領域要素１４、１５、１６、１７と、信号受信部１９の出力端にそれぞれ接続され、信号受信部１９の入力端が無線信号受信アンテナ２０に接続されている。これとは別に、制御信号発生部１２が自動車（図２に図示なし）の被制御部材、例えばドアロック部材（同じく図２に図示なし）に接続され、制御部１３が自動車のイグニッションキー２１に接続されている。
【００２９】
そして、この実施の形態によるリモートキーレスエントリー装置の場合、１台の車両に対して３人が利用している例で説明する。図２に図示された車載用受信機１１を共用している携帯用送信機１、すなわち車載用受信機１１に対して正規の無線信号を送信することができる携帯用送信機１は３台であって、これら３台の携帯用送信機１にそれぞれ割り当てられている固有のＩＤをａ、ｂ、ｃとしたとき、車載側内部メモリ１８の４つのメモリ領域要素１４、１５、１６、１７にそれぞれ既登録されているＩＤは、図２に図示された例の場合、メモリ領域要素１４にａが、メモリ領域要素１５にｂが、メモリ領域要素１６及びメモリ領域要素１７にそれぞれｃが書き込み登録されているものとする。
【００３０】
前記ドアロックスイッチ７とドアアンロックスイッチ８は、押しボタンスイッチからなり、操作部が携帯用送信機１の表面に露出して配置される。設定スイッチ９は、アブソリュートタイプのロータリエンコーダからなり、設定値１から４までのメモリが付されており、それぞれの位置に対応した信号を出力する。また、通常は、カバーで覆われて内部に収納されており、後述のＩＤの登録時に、ユーザーがカバーを開けて操作部を操作可能とする。
【００３１】
前記構成を有する携帯用送信機１及び車載用受信機１１の動作について説明する。
【００３２】
始めに、車載用受信機１１の動作モードが通常モードに設定されているときに、ユーザーが自己の携帯用送信機１を用いて自動車のドアロックを解除する場合の動作例について説明する。
【００３３】
いま、ユーザーが自己の携帯用送信機１を携帯保持して自動車に接近し、自動車に接近した位置でその携帯用送信機１のドアアンロックスイッチ８を押圧操作すると、制御部２は、そのドアアンロックスイッチ８の押圧操作に応答して、携帯側内部メモリ３に書き込み登録されている当該携帯用送信機１に固有のＩＤ（この場合ａとする）を読み出し、それと同時に携帯側内部メモリ３からドアアンロック機能を達成させるための機能コードを読み出す。この後、制御部２は、それぞれ読み出した固有のＩＤと機能コードとを含む指示信号を形成し、形成した指示信号を信号送信部５に供給する。信号送信部５は、指示信号が供給されると、その指示信号を無線信号の送信に適した周波数信号に変換し、かつ、所定の信号レベルに増幅して送信信号を形成し、その送信信号を無線信号送信アンテナ６を通して車載用受信機１１に向けて無線送信する。
【００３４】
このとき、車載用受信機１１が携帯用送信機１から送信した無線信号を無線信号受信アンテナ２０で受信すると、信号受信部１９がその受信信号中から指示信号を再生し、制御部１３に供給する。制御部１３は、指示信号が供給されると、その指示信号に含まれているＩＤ及び機能コードを抽出する。そして、制御部１３は、抽出したＩＤと、車載側メモリ１８の複数メモリ領域要素１４、１５、１６、１７に書き込み登録されているＩＤとの中に一致するものがあるか否かを判定する。この場合、抽出したＩＤがａで、メモリ領域要素１４にＩＤとしてａが書き込み登録されているので、制御部１３は、一致したＩＤが書き込み登録されている、すなわち抽出したＩＤが正規のＩＤである判定する。続いて、制御部１３は、抽出したＩＤが正規のＩＤであることから、抽出した機能コードを制御信号発生部１２に供給し、制御信号発生部１２が被制御部材を機能コードの指示通りに制御する制御信号、この場合をドアアンロック信号を形成し、そのドアアンロック信号を被制御部材、すなわちドアロック機構に供給する。これによりドアロック機構のロック状態が解放され、ドアロックが解除される。
【００３５】
また、自動車のドアがアンロック状態にあるとき、ユーザーが携帯用送信機１のドアロックスイッチ７を押圧操作すると、前述の動作経緯と殆んど同じ動作経緯を経て、ドアロック機構にドアロック信号が供給され、これによりドアロックが解除された状態からドアロックされた状態になる。
【００３６】
次に、車載用受信機１１で共用されている３台の携帯用送信機１の中のａのＩＤを持つ１台の携帯用送信機１が紛失または破損して使用不能になったため、その使用不能になった携帯用送信機１の補充としてｄのＩＤを持つ新たな携帯用送信機１を準備し、その新たな携帯用送信機１を含む３台の携帯用送信機１の固有のＩＤを車載用受信機１１の車載用内部メモリ１８に登録する際の動作例について、図３Ａ乃至図３Ｇに示された車載用内部メモリ１８の４つのメモリ領域要素１４、１５、１６、１７に書き込み登録されるＩＤの変更状態を表す状態説明図を用いて説明する。
【００３７】
この場合、説明の便宜上、使用不能になった携帯用送信機１に割り当てられた固有のＩＤをａとし、引き続いて使用できる２台の携帯用送信機１にそれぞれ割り当てられた固有のＩＤをｂ、ｃとし、新たに準備した携帯用送信機１に割り当てられた固有のＩＤをｄとし、更新登録前の車載用内部メモリ１８の４つのメモリ領域要素１４、１５、１６、１７には、図３Ａに図示されるように、メモリ領域要素１４にａ、メモリ領域要素１５にｂ、メモリ領域要素１６、１７にそれぞれｃが書き込み登録されているものとする。
【００３８】
始めに、車載用受信機１１の動作モードを、それまでの通常モードから登録モードに変更設定する。この動作モードの変更は、例えば、ユーザーが自動車のイグニッションキー２１を予め決められた期間内に予め決められた操作を予め決められた回数繰り返して行うと、動作モードが登録モードに変更設定される。そして、自動車の動作モードが登録モードに変更設定されると、例えば車両に設けられたハザード・ランプを１回点滅する。なお、車載用受信機１１の動作モードを通常モードに復帰設定するには、登録モードに変更されてから所定の時間が経過したときに自動復帰するようにしても、また、登録モードに変更されているときに、車両に設けられたパワーウインドスイッチを所定の手順で操作する、あるいは別に設けた復帰釦の操作により復帰するようにしてもよい。
【００３９】
車載用受信機１１の動作モードが登録モードに変更されている期間中に、ユーザーは、新たに更新登録する３台の携帯用送信機１の中の１つの携帯用送信機１、例えば固有のＩＤにｂを持つ携帯用送信機１を選択し、選択した携帯用送信機１に割り当てられた固有のＩＤであるｂを、次のような動作経緯によって車載用受信機１１の車載用内部メモリ１８に書き込み登録する。
【００４０】
すなわち、ユーザーが当該携帯用送信機１のいずれかの機能スイッチ、例えばドアアンロックスイッチ８を押圧操作すると同時に、設定スイッチ９を予め決められた設定値、この場合、メモリ領域要素１４、１５、１６、１７の数を表す４を示すポジションに設定すると、制御部２がそのドアアンロックスイッチ８の押圧操作に応答して、携帯側内部メモリ３に書き込み登録されている固有のＩＤ（この場合ｂ）を設定スイッチ９の設定した回数、すなわちこの場合４回繰り返し読み出し、固有のＩＤを読み出す度に、その固有のＩＤを含む指示信号をそれぞれ形成し、それぞれ形成した指示信号を信号送信部５に供給する。信号送信部５は、指示信号が供給される度に、その指示信号を無線信号として車載用受信機１１に向けて繰り返し無線送信する。
【００４１】
このとき、車載用受信機１１は、携帯用送信機１から送信した無線信号を受信する度に、信号受信部１９がその受信信号中から指示信号を再生し、制御部１３に順次供給する。制御部１３は、指示信号が供給される度に、その指示信号に含まれているＩＤ（この場合ｂ）を抽出し、抽出したＩＤを車載側内部メモリ１８のメモリ領域要素１４に順次供給する。
【００４２】
車載側内部メモリ１８に第１回目のＩＤが供給されると、そのＩＤは、メモリ領域要素１４に供給され、そこに登録されていたＩＤのａをｂに書き換え登録する。この書き換え登録が行われると、図３Ｂに図示されるように、メモリ領域要素１４、１５、１６、１７に登録されていたａ、ｂ、ｃ、ｃが１つづつ次のメモリ領域要素１５、１６、１７に移行し、それによりメモリ領域要素１５にａが、メモリ領域要素１６にｂが、メモリ領域要素１７にｃがそれぞれ書き換え登録される。
【００４３】
次いで、車載側内部メモリ１８に第２回目のＩＤが供給されると、そのＩＤは、メモリ領域要素１４に供給され、そこに登録されていたＩＤのｂを新たなｂに書き換え登録する。この書き換え登録が行われると、図３Ｃに図示されるように、メモリ領域要素１４、１５、１６、１７に登録されていたｂ、ａ、ｂ、ｃが１つづつ次のメモリ領域要素１５、１６、１７に移行し、メモリ領域要素１５にｂが、メモリ領域要素１６にａが、メモリ領域要素１７にｂがそれぞれ書き換え登録され、ｃについてはメモリから削除される。
【００４４】
続いて、車載側内部メモリ１８に第３回目のＩＤが供給されると、そのＩＤは、メモリ領域要素１４に供給され、そこに登録されていたＩＤのｂを新たなｂに書き換え登録する。この書き換え登録が行われると、図３Ｄに図示されるように、メモリ領域要素１４、１５、１６、１７に登録されていたｂ、ｂ、ａ、ｂが１つづつ次のメモリ領域要素１５、１６、１７に移行し、メモリ領域要素１５にｂが、メモリ領域要素１６にｂが、メモリ領域要素１７にａがそれぞれ書き換え登録され、メモリ領域要素１７に登録されていたｂについてはメモリから削除される。
【００４５】
次いで、車載側内部メモリ１８に第４回目のＩＤが供給されると、そのＩＤは、メモリ領域要素１４に供給され、そこに登録されていたＩＤのｂを新たなｂに書き換え登録する。この書き換え登録が行われると、図３Ｅに図示されるように、メモリ領域要素１４、１５、１６、１７に登録されていたｂ、ｂ、ｂ、ａが１つづつ次のメモリ領域要素１５、１６、１７に移行し、メモリ領域要素１５にｂが、メモリ領域要素１６にｂが、メモリ領域要素１７にｂがそれぞれ書き換え登録され、ａについてはメモリから削除されて、全部のメモリ領域要素１４、１５、１６、１７にｂが登録されたことになる。
【００４６】
続いて、車載用受信機１１の動作モードが登録モードになっている間に、ユーザーは、新たに更新登録する３台の携帯用送信機１の中の他の１つの携帯用送信機１、例えば固有のＩＤにｃを持つ携帯用送信機１を選択し、選択した携帯用送信機１に割り当てられた固有のＩＤであるｃを、車載用受信機１１の車載用内部メモリ１８に書き込み登録する。
【００４７】
当該動作は、設定スイッチ９の設定値を１に設定するだけであり、その他の動作については、前述の動作と同様であるため、その詳細は省略する。この結果、図３Ｆに図示されているようにメモリ領域要素１４にｃが登録され、メモリ領域要素１４、１５、１６に登録されていたＩＤはメモリ領域要素１５、１６、１７にそれぞれ書き換えられ、メモリ領域要素１４、１５、１６、１７にはそれぞれｃ、ｂ、ｂ、ｂのＩＤが登録される。
【００４８】
さらに、この後、ユーザーは、新たに更新登録する３台の携帯用送信機１の中の残りの１つの携帯用送信機１、例えば固有のＩＤにｄを持つ携帯用送信機１を選択し、選択した携帯用送信機１に割り当てられた固有のＩＤであるｄを、車載用受信機１１の車載用内部メモリ１８に書き込み登録する。
【００４９】
当該動作は、設定スイッチ９の設定値を１に設定するだけであり、その他の動作は前述の動作と同様であるため、詳細は省略する。この結果、図２Ｇに図示されるようにメモリ領域要素１４にｄが登録され、メモリ領域要素１４、１５、１６に登録されていたＩＤはメモリ領域要素１５、１６、１７にそれぞれ書き換えられ、メモリ領域要素１４、１５、１６、１７にはそれぞれｄ、ｃ、ｂ、ｂのＩＤが登録される。
【００５０】
そして、メモリ領域要素１６にＩＤのｂが、メモリ領域要素１７にＩＤのｂがそれぞれ登録され、車載用受信機１１において新たにｂ、ｃ、ｄのＩＤを有する３台の携帯用送信機１を共用させることができ、それと同時に、使用不能になったａのＩＤを有した携帯用送信機１の使用ができなくなる。
【００５１】
続いて、図４は、本発明によるリモートキーレスエントリー装置の他の実施の形態を示すもので、車載用受信機の要部構成を示すブロック図である。
【００５２】
図２に図示された実施の形態に係わるリモートキーレスエントリー装置（以下、これを前者という）と、図４に図示された他の実施の形態に係わるリモートキーレスエントリー装置（以下、これを後者という）との構成の違いは、前者においては携帯用送信機１の送信信号中のＩＤを車載用受信機１１が読み込んで登録するのに対して、後者においては車両に設けられているパワーウインドのアップスイッチ、ダウンスイッチを操作し、予め認知されている携帯用送信機１のＩＤを入力して登録する点において大きく異なっており、車載用内部メモリ１８におけるメモリ領域の違い、制御部１３に操作部２６、表示部２８が接続されている点、制御部１３の制御が主に異なっている。
【００５３】
後者の車載用内部メモリ１８は、前者のメモリ領域要素１４、１５、１６、１７にそれぞれ相当する１４（１）、１５（１）、１６（１）、１７（１）を持つ第１のメモリ領域と、これに加えて１つのメモリ領域要素２７を持つ第２のメモリ領域を有している点でその構成が異なる。
【００５４】
また、操作部２６は、車載用受信機１１がＩＤ登録モードに設定された場合にＩＤ入力部となるパワーウインドのアップスイッチ２２及びダウンスイッチ２３と、入力したＩＤを確定して第２メモリ領域に書き込むドアロックスイッチ２４と、第２内部メモリに所定のビットのＩＤの登録が終了した後に、第２メモリ領域に書き込まれたデータを第１メモリ領域に書き込む指令を行う指令部となるドアのアンロックスイッチ２５の機能スイッチを有する。また、ドアロックスイッチ２４とドアのアンロックスイッチ２５を同時に押すと、第２メモリ領域のデータが全て消去され、１ビット目から書き込み可能な状態となる。
【００５５】
なお、各スイッチに割り当てられた機能については、いろいろな変更が可能であり、例えばＩＤが所定の桁数入力された場合、ドアロックスイッチ２４が第２メモリ領域に書き込まれたデータを第１メモリ領域に書き込む指令部の機能を持つようにしてもよい。
【００５６】
表示部２８は、車載用受信機１１がＩＤ登録モードになっていない場合には、テレビジョンやカーナビゲーションシステム用のディスプレイとして機能するが、車載用受信機１１がＩＤ登録モードになると、ＩＤ登録モードになっていること及びＩＤ入力部によって入力されたＩＤを各ビットごとに表示する。
【００５７】
ところで、後者において、車載用受信機１１の動作モードが通常モードにあるときの動作は、前者が通常モードにある時の動作と同じであって、その動作説明が重複するので、後者の通常モード時の動作説明は、省略する。
【００５８】
また、後者において、車載用受信機１１の動作モードを通常モードから登録モードに変更設定するときの動作経緯は、前者の当該変更設定するときの動作経緯と同じであって、同じようにその動作経緯の説明が重複するので、この動作経緯についてもその説明を省略する。
【００５９】
次いで、後者において、車載用受信機１１の車載用内部メモリ１８に新たに更新登録する３台の携帯用送信機１の固有のＩＤを書き込み登録するときの動作について説明する。なお、この場合、固有のＩＤがｄの携帯用送信機１を紛失し、固有のＩＤがｃの携帯用送信機１を新たに登録し、固有のＩＤがａ、ｂの携帯用送信機１については引き続き使用するものとする。
【００６０】
車載用受信機１１の動作モードが登録モードに変更されている期間中に、ユーザーは、新たに更新登録する３台の携帯用送信機１の中の１つの携帯用送信機１、例えば２４ビットの２進数からなる固有のＩＤにｃを持つ携帯用送信機１を選択し、選択した携帯用送信機１に割り当てられた固有のＩＤであるｃを、次のような動作経緯によって車載用受信機１１の車載用内部メモリ１８の第１メモリ領域に書き込み登録するものである。
【００６１】
具体的には、車載用受信機１１が登録モードに設定されると、初期状態においてメモリ領域要素２７は１ビットから書き込み可能な状態に設定されている。そして、ユーザーあるいはディラーの操作者が、携帯用送信機１の保証書等に記されている例えば２４ビット等の複数ビットの２進数からなる携帯用送信機１の固有のＩＤであるｃを確認し、それを確認しながら１の場合にはパワーウインドのアップスイッチ２２を押し、０の場合にはパワーウインドのダウンスイッチ２３を押して、その都度、ドアロックスイッチ２４を押して確定し、確定すると次のビットへのデータが書き込み可能な状態となるようにしてあるから、メモリ領域要素２７の各ビットに対応するメモリ位置にデータを書き込む。なお、この際、表示部２８には入力した０か１の値が各ビットに対応する表示位置に表示され、ドアロックスイッチ２４を押して確定すると、次のビット位置にシフトするようにしている。
【００６２】
そして、全てのビットへの登録が終了した時点で、ドアのアンロックスイッチ２５を押すと、メモリ領域要素２７のＩＤが制御部１３に送られ、第１メモリ領域１４のメモリ領域要素１４（１）の位置に書き込まれ、これに伴って前者と同様にメモリ領域要素１４（１）から１６（１）に記憶されていたＩＤは、それぞれメモリ領域要素１５（１）から１７（１）に書き換えられ、メモリ領域要素１７（１）に記憶されていたＩＤは消去される。そして、さらに３回、ドアのアンロックスイッチ２５を押して、次に携帯用送信機１の固有のＩＤであるｃを押すと、同様の動作を行い、メモリ領域要素１４（１）から１７（１）に記憶されていたＩＤをすべてｂにする。この後、車載用受信機１１が登録モードに設定される期間に、新たに更新登録する３台の携帯用送信機１の中の１つの固有のＩＤがｂの携帯用送信機１を登録する。
【００６３】
具体的には、最初にドアロックスイッチ２４とドアのアンロックスイッチ２５を同時に押して第２メモリ領域のデータが全て消去され、１ビット目から書き込み可能状態とする。その後については、基本的に前述の場合と同様であるので省略するが、この場合にはドアのアンロックスイッチ２５は１回押す。
【００６４】
次に、新たに更新登録する３台の携帯用送信機１の中の１つの固有のＩＤがａの携帯用送信機１についても、固有のＩＤがｂの携帯用送信機１と同様な操作を行う。
【００６５】
そして、この結果、図４に示すように、メモリ領域要素１４（１）から１７（１）にはそれぞれａ、ｂ、ｃ、ｃのＩＤが登録される。これによって固有のＩＤがｄの携帯用送信機１の使用ができなくなり、固有のＩＤがａ、ｂ、ｃの携帯用送信機１の使用が可能になる。
【００６６】
なお、前述の実施の形態においては、指令部であるドアのアンロックスイッチ２５の１回の操作によって、第２メモリ領域の固有のＩＤを１回第１メモリ領域に書き込むようにしているが、前者の例と同様の設定手段を設けて、この設定手段で設定した回数、アンロックスイッチ２５を１回押すと送信するようにしてもよい。
【００６７】
また、前述の他の実施の形態においては、操作部２６に設けた各種の機能を果たすスイッチ２２〜２５を設けて、固有のＩＤを登録するようにしたが、ディスプレイにタッチパネルを設けて、そのタッチパネルの操作で入力するようにしてもよい。
【００６８】
次に、第３の実施の形態について示す。この第３の実施の形態においては、第１の実施の形態において携帯用送信機１のドアロックスイッチ７とドアのアンロックスイッチ８を同時に押すと、２４ビットの２進数からなるランダムなＩＤを発生し、ドアロック信号のＩＤ部分に相当する信号部分をこのランダムなＩＤとして信号を発生する点のみが異なっている。簡単のために、図５においては、固有のＩＤがａの携帯用送信機１を車載用受信機１１に登録する場合についてのみ説明するが、設定手段９を４に設定し、ドアロックスイッチ７とドアのアンロックスイッチ８を同時に押すと、第１の実施の形態と同様の動作によりランダムなＩＤ（図５において×で示している）がメモリ領域要素１４〜１７に登録される。この後、ドアロックスイッチ７を押すと、第１の実施の形態と同様の動作をして、図５に示すように、メモリ領域要素１４にａ、メモリ領域要素１５〜１７にランダムなＩＤが記憶される。なお、ランダムなＩＤは、２の２４乗の中の１つのランダムに選ばれる値であり、携帯用送信機１の固有のＩＤと一致する可能性は殆どなく、実質的に問題にならない。
【００６９】
次に、第４の実施の形態について示す。この第４の実施の形態においては、第３の実施の形態のようにランダムなＩＤを発生する操作部在を設けた点が他の実施の形態と異なっている。このランダムなＩＤは、アップスイッチ２２とダウンスイッチ２３とを同時に押すことにより発生し、第２メモリ領域に記憶される。従って、固有のＩＤがａの携帯用送信機１についてのみ車載用受信機１１に登録する場合については、アップスイッチ２２とダウンスイッチ２３とを同時に押し、その後、指令部であるドアのアンロックスイッチ２５を４回押し、第１メモリ領域の全てのメモリ領域要素に全てランダムなＩＤを登録し、次に、第２の実施の形態における固有のＩＤがａの携帯用送信機１のＩＤを登録するのと同様な動作を行えば、第１のメモリ領域には図５に示すＩＤの登録ができる。なお、第４の実施の形態においては、ランダムなＩＤを登録する場合、登録回数を指定する指定手段を設けてもよいし、第２のメモリ領域に登録することなく、第１のメモリ領域に直接登録するようにしてもよい。
【図面の簡単な説明】
【００７０】
【図１】本発明によるリモートキーレスエントリー装置の１つの実施の形態を示すもので、携帯用送信機の要部構成を示すブロック図である。
【図２】本発明によるリモートキーレスエントリー装置の１つの実施の形態を示すもので、車載用受信機の要部構成を示すブロック図である。
【図３】車載用内部メモリの４つのメモリ領域要素に書き込み登録されるＩＤの変更状態を表す状態説明図である。
【図４】本発明によるリモートキーレスエントリー装置の他の実施の形態を示すもので、車載用受信機の要部構成を示すブロック図である。
【図５】本発明によるリモートキーレスエントリー装置の第３、第４の実施の形態を示すものであり、４つのメモリ領域要素に書き込み登録されたＩＤの状態を表す状態説明図である。
【符号の説明】
【００７１】
１  携帯用送信機
２  制御部
３  携帯側内部メモリ
４  表示部
５  信号送信部
６  無線信号送信アンテナ
７  ドアロックスイッチ
８  ドアアンロックスイッチ
９  設定スイッチ
１０  操作部材
１１  車載用受信機
１２  制御信号発生部
１３  制御部
１４〜１７、１４（１）〜１７（１）、１４（２）〜１７（２）  メモリ領域
１８  車載側内部メモリ
１９  信号受信部
２０  無線信号受信アンテナ
２７  第２のメモリ領域
【図１】
2005344422.tif 000003
【図２】
2005344422.tif 000004
【図３】
2005344422.tif 000005
【図４】
2005344422.tif 000006
【図５】
2005344422.tif 000007
【手続補正書】
【提出日】平成16年6月15日(2004.6.15)
【手続補正１】
【補正対象書類名】図面
【補正対象項目名】図３
【補正方法】変更
【補正の内容】
【図３】
2005344422.tif 000008